(57)【要約】【課題】ストラップを取付可能な携帯端末において、ストラップ取付部を設けるためのスペースを小さくして他の部品を効率的に配置できるようにする。【解決手段】裏側キャビネット５の側面５ｂにストラップ５０を挿通するためのストラップ挿通孔１０を設ける。裏側キャビネット５にストラップ５０の挿入方向と異なる方向にストラップ５０の先端部５０ａを誘導する凹状のガイド１１を、ガイド１１内に誘導された先端部５０ａを引っ掛ける係合部１２と共に、裏側キャビネット５の外周縁部に配置する。【選択図】図１
2013197959.tif 000002
【特許請求の範囲】
【請求項１】
ストラップを取付可能な携帯端末において、
上記ストラップを挿通するためのストラップ挿通孔を側面に有する携帯端末本体を備え、
上記携帯端末本体は、
上記ストラップ挿通孔に連通し、上記ストラップの挿入方向と異なる方向に該ストラップの先端部を誘導する凹状のガイドと、
上記ガイド内に配置されて誘導された上記ストラップの先端部を引っ掛ける係合部とを備え、
上記ガイド及び係合部は、上記携帯端末本体の外周縁部に配置されている
ことを特徴とする携帯端末。
【請求項２】
請求項１に記載の携帯端末において、
上記携帯端末本体は、背面側の少なくとも一部が蓋部材で覆われるように構成され、
上記ガイドは、上記携帯端末本体の側面を構成する壁面内側に沿って延び、該ガイドの開口は、上記蓋部材で覆われている
ことを特徴とする携帯端末。
【請求項３】
請求項２に記載の携帯端末において、
表示部が嵌め込まれる表示部側筐体を備え、
上記携帯端末本体の外周縁部の正面側には、上記表示部側筐体との間に挟み込まれる防水パッキンを嵌め込む溝部が形成され、
上記ガイド及び係合部は、上記溝部の背面側に配置されている
ことを特徴とする携帯端末。
【請求項４】
請求項２又は３に記載の携帯端末において、
上記蓋部材は、上記携帯端末本体の背面側に形成した電池収容部も覆うように構成され、
上記ガイド及び係合部は、上記携帯端末本体の側面と上記電池収容部を構成する壁面との間に配置されている
ことを特徴とする携帯端末。
【発明の詳細な説明】
【技術分野】
【０００１】
本発明は、ストラップを取り付けるためのストラップ取付部を有する携帯端末に関するものである。
【背景技術】
【０００２】
従来より、携帯電話機に代表される携帯端末に好みのストラップを取り付けることが行われている。ストラップを取り付ける方法としては、例えば、図５に示すように、携帯端末本体１０３の側面に互いに連通する２つの孔１１０，１１１を設けることが知られている。この携帯電話機１０１では、まず、図５（ａ）に示すように、ストラップ５０の環状の先端部５０ａを一方の孔１１０に通す。次いで、図５（ｂ）に示すように、先端部５０ａを他方の孔１１１から外へ露出させる。次いで、図５（ｃ）に示すように、環状の先端部５０ａに他端５０ｂを通す。最後に、図５（ｄ）に示すように、他端５０ｂ側を引っ張って先端部５０ａを締め付けるようにしている。
【０００３】
また、特許文献１のように、ストラップを筐体の突起部にかけてストラップを固定し、その上から電池蓋を嵌め込んで、ストラップが外れないようにすることも行われている。このようなストラップ取付構造では、図６に例示するように、携帯端末本体２０３に設けたストラップ挿通孔２１０にストラップ５０の先端部５０ａを通して他の孔２１１から取り出し、その挿入方向（白抜き矢印で示す方向）奥側にある係合部２１２にその先端部５０ａを引っ掛けるようにしている。
【先行技術文献】
【特許文献】
【０００４】
【特許文献１】特開２００２−１３４９３４号公報
【発明の概要】
【発明が解決しようとする課題】
【０００５】
しかしながら、２つの孔１１０，１１１にストラップ５０を通すものでは、これらの孔１１０，１１１を蓋部材で覆うと、ストラップ５０を引っ張ったときに蓋部材が浮いてしまう。このため、携帯端末本体１０３に２つの孔１１０，１１１を開口させなければならず、これらの孔１１０，１１１が露出して見映えが悪くなる。また、携帯端末本体１０３を成型するための金型形状が複雑になるという問題がある。
【０００６】
また、図６の携帯端末では、ストラップ挿通孔２１０の直線上に係合部２１２を設けているので、ストラップ５０の先端部５０ａを通しやすくするため及び引っ張り方向への強度を向上させるために挿入方向（奥行き方向）にスペースを必要とする。奥行き方向には、部品を配置している場合が多く、部品配置面積が減るという問題がある。
【０００７】
本発明は、かかる点に鑑みてなされたものであり、その目的とするところは、ストラップ取付部を設けるためのスペースを小さくして他の部品を効率的に配置できるようにすることにある。
【課題を解決するための手段】
【０００８】
上記の目的を達成するために、この発明では、ストラップ取付部を携帯端末本体の周縁部の空いたスペースに設けるようにした。
【０００９】
具体的には、第１の発明では、ストラップを取付可能な携帯端末を前提とし、
上記携帯端末は、上記ストラップを挿通するためのストラップ挿通孔を側面に有する携帯端末本体を備え、
上記携帯端末本体は、
上記ストラップ挿通孔に連通し、上記ストラップの挿入方向と異なる方向に該ストラップの先端部を誘導する凹状のガイドと、
上記ガイド内に配置されて誘導された上記ストラップの先端部を引っ掛ける係合部とを備え、
上記ガイド及び係合部は、上記携帯端末本体の外周縁部に配置されている。
【００１０】
上記の構成によると、ガイドがストラップの先端部を挿入方向と異なる方向へ誘導してガイド内の係合部にかけるようにしているので、係合部を携帯端末本体の奥側へ設ける必要がなくなり、携帯端末本体の外周縁部の空いたスペースに配置できる。このため、部品配置面積を減少させることはない。
【００１１】
第２の発明では、第１の発明において、
上記携帯端末本体は、背面側の少なくとも一部が蓋部材で覆われるように構成され、
上記ガイドは、上記携帯端末本体の側面を構成する壁面内側に沿って延び、該ガイドの開口は、上記蓋部材で覆われている。
【００１２】
上記の構成によると、ガイドを携帯端末本体の側面を構成する壁面内側に沿って延ばし、その先端部に係合部を設けているので、空いたスペースを有効に利用できる。また、ガイドや係合部を蓋部材で隠すことができるので、見映えが悪化しない。
【００１３】
第３の発明では、第２の発明において、
表示部が嵌め込まれる表示部側筐体を備え、
上記携帯端末本体の外周縁部の正面側には、上記表示部側筐体との間に挟み込まれる防水パッキンを嵌め込む溝部が形成され、
上記ガイド及び係合部は、上記溝部の背面側に配置されている。
【００１４】
上記の構成によると、携帯端末本体の防水パッキン用の溝部を設ける外周縁部にガイド及び係合部を溝部に対して厚さ方向に重ねるように設けているので、空いたスペースが有効に利用される。
【００１５】
第４の発明では、第２又は第３の発明において、
上記蓋部材は、上記携帯端末本体の背面側に形成した電池収容部も覆うように構成され、
上記ガイド及び係合部は、上記携帯端末本体の側面と上記電池収容部を構成する壁面との間に配置されている。
【００１６】
上記の構成によると、電子部品を配置しにくい電池収容部外側の空いたスペースが有効に利用される。
【発明の効果】
【００１７】
以上説明したように、本発明によれば、携帯端末本体にストラップの挿入方向と異なる方向にストラップの先端部を誘導するガイドを、誘導されたストラップの先端部を引っ掛ける係合部と共に、携帯端末本体の外周縁部に配置したことにより、ストラップ取付部を設けるためのスペースを小さくして他の部品を効率的に配置できる。
【図面の簡単な説明】
【００１８】
【図１】ストラップ取付部を拡大して示す斜視図である。
【図２】携帯電話機を正面側から見た分解斜視図である。
【図３】携帯電話機を背面側から見た分解斜視図である。
【図４】裏側キャビネットのストラップ取付部周辺裏側を示す斜視図である。
【図５】従来技術のストラップ取付部を拡大して示す斜視図であり、その手順を（ａ）〜（ｄ）の順に示す。
【図６】他の従来技術のストラップ取付部を拡大して示す斜視図である。
【発明を実施するための形態】
【００１９】
以下、本発明の実施形態を図面に基づいて説明する。
【００２０】
図２及び図３は、本発明の実施形態の携帯端末としての携帯電話機１の分解斜視図を示し、この携帯電話機１は、矩形板状の筐体３を有する。筐体３は、表面側に表示部２及び基板（図示せず）が嵌め込まれた表示部側筐体としての表側キャビネット４と、この表側キャビネット４に結合される携帯端末本体としての裏側キャビネット５とを有する。裏側キャビネット５は、例えば樹脂成形品よりなり、背面に矩形開口状の電池収容部６を有し、この電池収容部６に電池（図示せず）を収容可能となっている。裏側キャビネット５の背面側は、蓋部材としての矩形板状の電池カバー７で脱着可能に覆われている。
【００２１】
図３に示すように、表側キャビネット４の外周縁部裏側には、全周にわたりパッキン用リブ４ａが形成されている。一方、図４に示すように、裏側キャビネット５の外周縁部表側には、このパッキン用リブ４ａに対応するようにパッキン用溝部５ａが形成されている。パッキン用溝部５ａに防水パッキン８を嵌め込んで、パッキン用リブ４ａで押さえ込むことにより、筐体３の防水機能が発揮されている。
【００２２】
そして、図１に示すように、裏側キャビネット５は、ストラップ５０を取り付けるためのストラップ取付部２０を有する。このストラップ取付部２０は、裏側キャビネット５の側面５ｂに設けられている。
【００２３】
具体的には、裏側キャビネット５の側面５ｂには、ストラップ５０を挿通するためのストラップ挿通孔１０が成形されている。このストラップ挿通孔１０の形状は、略楕円形であるが略円形や略矩形でもよい。
【００２４】
このストラップ挿通孔１０には、ストラップ５０の挿入方向と異なる方向にストラップ５０の先端部５０ａを誘導するガイド１１が連通されている。ガイド１１は、裏側キャビネット５の外周縁部において背面側に開口する略矩形状の凹部で構成されている。ガイド１１は、側面５ｂを構成する壁面内側に沿って延びている。このガイド１１は、ストラップ挿通孔１０に挿入されたストラップ５０の先端部５０ａを、その挿入方向と垂直に（図１の白抜き矢印の方向に）誘導するにしたがって背面側（図１の上側）へ誘導するように形成するとよい。このことで、ストラップ５０の先端部５０ａがさらに効果的に開口側へ誘導される。
【００２５】
ガイド１１の先端（ストラップ挿通孔１０と反対側）には、誘導されたストラップ５０の先端部５０ａを引っ掛ける係合部１２が突設されている。係合部１２の形状は特に限定されないが、先端部５０ａを引っ掛けやすく、傷付けにくい形状が望ましい。係合部１２の高さは、裏側キャビネット５の背面よりも低くなっている。このように、係合部１２は、電池カバー７で覆われる裏側キャビネット５の背面側外周縁部に配置されている。しかも、図４に示すように、ガイド１１及び係合部１２は、パッキン用溝部５ａの裏側に一体形成されている。図１に示すように、ガイド１１を裏側キャビネット５の側面５ｂを構成する壁面内側に沿って延ばし、その先端側に係合部１２を設けているので、空いたスペースが有効に利用されている。
【００２６】
次に、本実施形態にかかる携帯電話機１におけるストラップ５０の取付手順について説明する。
【００２７】
まず、図１に示すように、電池カバー７を外した状態で、ストラップ５０の先端部５０ａをストラップ挿通孔１０に挿入する。
【００２８】
すると、先端部５０ａがガイド１１を構成する奥側壁面１１ａに当接し、挿入方向と異なる白抜き矢印の方向へ誘導される。そして、手で先端部５０ａを引っ張り出して係合部１２にかける。
【００２９】
次いで、ストラップ５０を引っ張って係合部１２にしっかりと係合する。
【００３０】
本実施形態では、係合部１２を裏側キャビネット５の挿入方向奥側へ設ける必要がなくなり、裏側キャビネット５の外周縁部の側面５ｂと電池収容部６を構成する壁面との間の空いたスペースに配置できる。このため、部品配置面積を減少させることはない。
【００３１】
最後に電池カバー７で裏側キャビネット５の背面側を覆う。このように、電池カバー７は、裏側キャビネット５の背面側に形成した電池収容部６と共に、ガイド１１及び係合部１２も覆うので、見映えがよい。
【００３２】
したがって、本実施形態にかかる携帯電話機１によると、裏側キャビネット５にストラップ５０の挿入方向と異なる方向にストラップ５０の先端部５０ａを誘導するガイド１１を、誘導されたストラップ５０の先端部５０ａを引っ掛ける係合部１２と共に、裏側キャビネット５の外周縁部に配置したことにより、ストラップ取付部２０を設けるためのスペースを小さくして他の部品を効率的に配置できる。
【００３３】
（その他の実施形態）
本発明は、実施形態について、以下のような構成としてもよい。
【００３４】
すなわち、上記実施形態では、携帯電話機１は、ストレートタイプのものとしているが、折畳み式携帯電話機としてもよく、そのいずれかの筐体に係合部１２等を設けてもよい。
【００３５】
上記実施形態では、携帯端末は、携帯電話機１としたが、ストラップ取付部２０を有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３６】
なお、以上の実施形態は、本質的に好ましい例示であって、本発明、その適用物や用途の範囲を制限することを意図するものではない。
【産業上の利用可能性】
【００３７】
以上説明したように、本発明は、ストラップを取付可能な携帯電話機などの携帯端末について有用である。
【符号の説明】
【００３８】
１      携帯電話機（携帯端末）
４      表側キャビネット（表示部側筐体）
５      裏側キャビネット（携帯端末本体）
５ａ    パッキン用溝部
５ｂ    側面
６      電池収容部
７      電池カバー（蓋部材）
８      防水パッキン
１０      ストラップ挿通孔
１１      ガイド
１２      係合部
２０      ストラップ取付部
５０      ストラップ
５０ａ    先端部
【図１】
2013197959.tif 000003
【図２】
2013197959.tif 000004
【図３】
2013197959.tif 000005
【図４】
2013197959.tif 000006
【図５】
2013197959.tif 000007
【図６】
2013197959.tif 000008